(57)【要約】【課題】屋内での効率的な空気の循環を実現可能な構成を有する建物を提供する。【解決手段】本発明に係る建物は、少なくとも１つの床部を挟んで鉛直方向の上下に位置する下階空間及び上階空間と、前記下階空間及び前記上階空間と連続し、前記下階空間の階層から前記上階空間の階層に亘って延在している少なくとも２つの連通空間と、を備え、前記下階空間、前記上階空間、及び、前記少なくとも２つの連通空間、により屋内で空気の循環経路が形成可能であり、前記上階空間及び下階空間の少なくとも一方は、前記少なくとも２つの連通空間における一連通空間に隣接して設けられていると共に、前記循環経路と区画壁により区画されている部屋を備え、前記区画壁には、前記部屋と前記一連通空間とを連通する開口が設けられている。【選択図】図２
2020063638.tif 000002
【特許請求の範囲】
【請求項１】
少なくとも１つの床部を挟んで鉛直方向の上下に位置する下階空間及び上階空間と、
前記下階空間及び前記上階空間と連続し、前記下階空間の階層から前記上階空間の階層に亘って延在している少なくとも２つの連通空間と、を備え、
前記下階空間、前記上階空間、及び、前記少なくとも２つの連通空間、により屋内で空気の循環経路が形成可能であり、
前記上階空間及び下階空間の少なくとも一方は、前記少なくとも２つの連通空間における一連通空間に隣接して設けられていると共に、前記循環経路と区画壁により区画されている部屋を備え、
前記区画壁には、前記部屋と前記一連通空間とを連通する開口が設けられている、建物。
【請求項２】
前記一連通空間は、建物において床面積が最大であり、前記部屋に隣接する吹き抜け空間を含む別の部屋に設けられている、請求項１に記載の建物。
【請求項３】
前記少なくとも２つの連通空間は、前記一連通空間とは別に、前記下階空間の階層から前記上階空間の階層までを繋ぐ階段を含む階段室を備える、請求項１又は２に記載の建物。
【請求項４】
前記開口は、前記区画壁に形成されているスリット状の空隙である、請求項１〜３のいずれか１つに記載の建物。
【請求項５】
前記開口は、鉛直方向又は水平方向に延在するスリット状の空隙である、請求項４に記載の建物。
【請求項６】
前記開口は、前記区画壁に複数形成されている円形状、オーバル形状、又は、多角形状の穿孔である、請求項１〜３のいずれか１つに記載の建物。
【請求項７】
前記開口は、天地高さの８０％以上の範囲に亘って設けられている、請求項１〜６のいずれか１つに記載の建物。
【請求項８】
前記区画壁には、前記開口を開閉可能な建具が設けられている、請求項１〜７のいずれか１つに記載の建物。
【請求項９】
外皮平均熱貫流率が０．６Ｗ／（ｍ2Ｋ）以下である、請求項１〜８のいずれか１つに記載の建物。
【発明の詳細な説明】
【技術分野】
【０００１】
本発明は建物に関する。
【背景技術】
【０００２】
従来から、建物の各居室に空調機を設置し、各居室で個別に空調する空調システムが知られている。特許文献１には、高気密高断熱住宅における大部屋の天井に設置した室内ユニットで冷房運転を行い、大部屋の最下部に設置した室内ユニットで暖房運転を行うことで、大部屋の室内空気温度を均一にする空気調和装置が開示されている。また、特許文献１に記載の住宅には、循環口を介して大部屋と連通する小部屋があり、大部屋及び小部屋で空気を循環させることで、住宅内全体を空気調和することが記載されている。
【先行技術文献】
【特許文献】
【０００３】
【特許文献１】特開平１１−１４１７８号公報
【発明の概要】
【発明が解決しようとする課題】
【０００４】
特許文献１に記載の空気調和装置が設けられた建物としての住宅では、上下階に亘って延在する大部屋と、上下階それぞれに位置する各小部屋と、が循環口を通じて連通している。そのため、大部屋の温度と上下階それぞれに位置する小部屋の温度とを、循環口を通じた空気の循環により、均一化し得る。
【０００５】
しかしながら、特許文献１に記載の建物では、大部屋及び小部屋の空気を効率的に循環させるための循環経路が確立されておらず、空気の循環について依然として改善の余地がある。
【０００６】
本発明は、屋内での効率的な空気の循環を実現可能な構成を有する建物を提供することを目的とする。
【課題を解決するための手段】
【０００７】
本発明の第１の態様としての建物は、少なくとも１つの床部を挟んで鉛直方向の上下に位置する下階空間及び上階空間と、前記下階空間及び前記上階空間と連続し、前記下階空間の階層から前記上階空間の階層に亘って延在している少なくとも２つの連通空間と、を備え、前記下階空間、前記上階空間、及び、前記少なくとも２つの連通空間、により屋内で空気の循環経路が形成可能であり、前記上階空間及び下階空間の少なくとも一方は、前記少なくとも２つの連通空間における一連通空間に隣接して設けられていると共に、前記循環経路と区画壁により区画されている部屋を備え、前記区画壁には、前記部屋と前記一連通空間とを連通する開口が設けられている。
【０００８】
本発明の１つの実施形態として、前記一連通空間は、建物において床面積が最大であり、前記部屋に隣接する吹き抜け空間を含む別の部屋に設けられている。
【０００９】
本発明の１つの実施形態として、前記少なくとも２つの連通空間は、前記一連通空間とは別に、前記下階空間の階層から前記上階空間の階層までを繋ぐ階段を含む階段室を備える。
【００１０】
本発明の１つの実施形態として、前記開口は、前記区画壁に形成されているスリット状の空隙である。
【００１１】
本発明の１つの実施形態として、前記開口は、鉛直方向又は水平方向に延在するスリット状の空隙である。
【００１２】
本発明の１つの実施形態として、前記開口は、前記区画壁に複数形成されている円形状、オーバル形状、又は、多角形状の穿孔である。
【００１３】
本発明の１つの実施形態として、前記開口は、天地高さの８０％以上の範囲に亘って設けられている。
【００１４】
本発明の１つの実施形態として、前記区画壁には、前記開口を開閉可能な建具が設けられている。
【００１５】
本発明の１つの実施形態としての建物は、外皮平均熱貫流率が０．６Ｗ／（ｍ2Ｋ）以下である。
【発明の効果】
【００１６】
本発明によれば、屋内での効率的な空気の循環を実現可能な構成を有する建物を提供することができる。
【図面の簡単な説明】
【００１７】
【図１】本発明の一実施形態としての建物の１階の平面図である。
【図２】図１に示す建物の２階の平面図である。
【図３】図２に示す区画壁を吹き抜け空間側から見た正面図である。
【図４】図３に示す区画壁の変形例を示す図である。
【図５】図３に示す区画壁の別の変形例を示す図である。
【図６】図１、図２に示す建物のＬＤＫと第３個室との間での空気の循環の概要を模式的に示す概要図である。
【図７】図１、図２に示す建物のＬＤＫ、第３個室及び第４個室の間での空気の循環の概要を模式的に示す概要図である。
【発明を実施するための形態】
【００１８】
以下、本発明に係る建物の実施形態について、図面を参照して説明する。各図において共通する部材・部位には同一の符号を付している。
【００１９】
図１、図２は、本発明の一実施形態としての建物１の平面図である。具体的に、図１は、建物１の１階平面図である。図２は、建物１の２階平面図である。
【００２０】
まず、本実施形態の建物１の概略について説明する。本実施形態の建物１は、例えば鉄骨造の軸組みを有する２階建ての住宅であり、鉄筋コンクリート造の基礎と、柱や梁などの軸組部材で構成された軸組架構を有し、基礎に固定された上部構造体と、で構成される。なお、軸組架構を構成する軸組部材は、予め規格化（標準化）されたものであり、予め工場にて製造されたのち建築現場に搬入されて組み立てられる。なお、建物１の架構は、本実施形態の鉄骨造の架構に限られず、木造の架構であってもよい。
【００２１】
上部構造体の軸組架構は、複数の柱及び複数の梁などから構成されている。軸組架構の外周部には、外周壁を構成する外装材等が配置される。また、軸組架構の層間部には、床部を構成する床スラブ材等が配置される。更に、軸組架構の上部には、陸屋根を構成する屋根床スラブ材等が配置される。
【００２２】
建物１の外周壁は、例えば、表面側に防水層としての塗膜が形成された軽量気泡コンクリート（ＡＬＣ）からなる外装パネル材を連接されて構成された外部仕上げ層と、例えば、フェノールフォーム等の発泡樹脂系の断熱パネル材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、特に限定されるものではない。外周壁は、少なくとも所定の防耐火性能及び防水性能を有するものであればよい。
【００２３】
建物１の床部は、床スラブ材を含む。床スラブ材は、軸組架構の梁間に架設され、梁により直接的又は間接的に支持される。床スラブ材としては、例えば、ＡＬＣパネルを用いることできるが、折板、押出成形セメント板、木質パネル材などの別の部材を用いてもよい。床部は、床スラブ材に加えて、例えば、床スラブ材に対して直接的又は間接的に取り付けられる、下階としての１階の天井面を構成する天井内装材や、床スラブ材上に積層された、上階としての２階の床面を構成するフローリング等の床内装材などを含むものであってもよい。
【００２４】
なお、陸屋根を構成する屋根床スラブ材についても、ＡＬＣパネルを用いることができるが、ＡＬＣパネルに限られるものではない。また、屋根床スラブ材は、例えば塩化ビニル樹脂から形成されている防水シート等により覆われることにより、防水処理が施されている。また、建物１の屋根は、陸屋根に限らず、スレート等の屋根外装材を用いた勾配屋根としてもよい。
【００２５】
また、本実施形態の建物１は、外皮平均熱貫流率が０．６Ｗ／（ｍ2Ｋ）以下の高断熱住宅である。更に、建物１の外皮平均熱貫流率は、地域別のＺＥＨ基準を充足していることが好ましい。このようにすることで、建物１内において、後述する第１連通空間４（図１、図２参照）と、後述する部屋としての第３個室９２（図２参照）及び第４個室９３（図２参照）と、を一体で温調し易くなり、ひいては、建物１内の全館空調を実現し易くなる。
【００２６】
次に、本実施形態の建物１の間取りについて説明する。
【００２７】
図１に示すように、本実施形態の建物１の１階には、２つの部屋としてのリビング・ダイニング・キッチン８１（以下、「ＬＤＫ８１」と記載する。）及び第１個室８２と、玄関８３と、トイレ８４と、第１廊下８５と、第２廊下８６と、が設けられている。
【００２８】
図２に示すように、本実施形態の建物１の２階には、３つの部屋としての第２個室９１、第３個室９２及び第４個室９３と、トイレ９４と、洗面所９５と、浴室９６と、廊下９７と、ベランダ９９と、が設けられている。
【００２９】
なお、「部屋」とは、周囲から仕切られた空間を意味し、上述した個室に限られず、トイレ、洗面所、浴室等も部屋の一態様である。
【００３０】
但し、上述の１階及び２階の間取りは一例であり、建物１の間取りは図１、図２に示す間取りに限られるものではない。
【００３１】
本実施形態の建物１のＬＤＫ８１は、下階空間２としての１階空間から上階空間３としての２階空間まで延在する吹き抜け部８１ａを備える。換言すれば、本実施形態の建物１のＬＤＫ８１は、上階空間３としての２階空間に、吹き抜け空間８１ａ１を含む。本実施形態では、ＬＤＫ８１の吹き抜け部８１ａが、後述する第１連通空間４を構成している。
【００３２】
また、本実施形態の建物１には、１階と２階とをつなぐ階段１５が設けられた階段室９８がある。この階段室９８は、下階空間としての１階空間から上階空間としての２階空間まで延在している。本実施形態では、この階段室９８が、後述する第２連通空間５を構成している。
【００３３】
次に、建物１の更なる詳細について説明する。
【００３４】
図１、図２に示すように、建物１は、下階空間２と、上階空間３と、２つの連通空間としての第１連通空間４及び第２連通空間５と、を備えている。
【００３５】
下階空間２及び上階空間３は、少なくとも１つの床部を挟んで鉛直方向の上下に位置する空間である。本実施形態の下階空間２は１階空間である。本実施形態の上階空間３は２階空間である。つまり、本実施形態の下階空間２及び上階空間３は、２階の床部１１（図２参照）を挟んで鉛直方向の上下に位置する空間である。
【００３６】
連通空間は、下階空間２及び上階空間３と連続し、下階空間２の階層から上階空間３の階層に亘って延在する空間である。本実施形態の２つの連通空間は、第１連通空間４としてのＬＤＫ８１の吹き抜け部８１ａ、及び、第２連通空間５としての階段室９８、である。本実施形態の建物１は、２つのみの連通空間を備える構成であるが、２つのみの連通空間に限らず、３つ以上の連通空間を備える構成であってもよい。
【００３７】
図１に示すように、第１連通空間４としてのＬＤＫ８１の吹き抜け部８１ａは、下階空間２としての１階空間において、ＬＤＫ８１の残りの部分と連続している。ここで言う「ＬＤＫ８１の残りの部分」とは、ＬＤＫ８１のうち吹き抜け部８１ａ以外の部分であり、鉛直方向上方が２階の床部１１（図２参照）により覆われている部分である。また、図２に示すように、第１連通空間４としてのＬＤＫ８１の吹き抜け部８１ａは、上階空間３としての２階空間において、廊下９７と連続している。
【００３８】
図１に示すように、第２連通空間５としての階段室９８は、下階空間２としての１階空間において、第２廊下８６と連続している。また、図２に示すように、第２連通空間５としての階段室９８は、上階空間３としての２階空間において、廊下９７と連続している。
【００３９】
換言すれば、下階空間２及び上階空間３は、第１連通空間４を介して連通している。また、下階空間２及び上階空間３は、第２連通空間５を介して連通している。
【００４０】
そのため、建物１では、下階空間２、上階空間３、第１連通空間４、及び、第２連通空間５、により屋内で空気の一方向の循環経路ＣＰが形成可能である。具体的に、建物１では、２つの循環経路ＣＰが形成可能である。１つの循環経路ＣＰとしての第１循環経路ＣＰ１は、下階空間２、第１連通空間４、上階空間３、第２連通空間５、と順に移動し、再び下階空間２に戻る経路である。別の循環経路ＣＰとしての第２循環経路ＣＰ２は、第１循環経路ＣＰ１とは逆方向の循環経路ＣＰである。具体的に、第２循環経路ＣＰ２は、下階空間２、第２連通空間５、上階空間３、第１連通空間４、と順に移動し、再び下階空間２に戻る経路である。
【００４１】
ここで、上述の「循環経路ＣＰ」は、常時連通していることを要しない。つまり、開閉可能な建具が設けられた開口を有する区画壁が、循環経路ＣＰ内にあってもよい。
【００４２】
図２に示すように、本実施形態の部屋としての第３個室９２は、第１連通空間４としての吹き抜け部８１ａに隣接して設けられている。より具体的に、本実施形態の部屋としての第３個室９２は、吹き抜け部８１ａの吹き抜け空間８１ａ１に隣接して設けられている。上述したように、第１連通空間４としての吹き抜け部８１ａは、建物１の循環経路ＣＰの一部を構成している。そのため、第３個室９２は、循環経路ＣＰに隣接している。但し、第３個室９２は、循環経路ＣＰの一部としての第１連通空間４としての吹き抜け部８１ａと、区画壁５０により区画されている。
【００４３】
この区画壁５０には、部屋としての第３個室９２と第１連通空間４としての吹き抜け部８１ａとを連通する開口５０ａが設けられている。区画壁５０にこのような開口５０ａを設けることにより、建物１の空気の循環経路ＣＰの一部を構成する吹き抜け部８１ａの吹き抜け空間８１ａ１と、第３個室９２と、の間での空気の循環を促進できる。これにより、例えば、吹き抜け空間８１ａ１の暖気などを、第３個室９２内に取り込み易くなる。そのため、第３個室９２と、吹き抜け部８１ａを含むＬＤＫ８１と、をＬＤＫ８１に備え付けられたエアコン等の空調機６を用いて、一体で温調することが可能となる。
【００４４】
更に、図２に示すように、本実施形態の部屋としての第４個室９３は、第１連通空間４としての吹き抜け部８１ａに隣接して設けられている。より具体的に、本実施形態の部屋としての第４個室９３は、吹き抜け部８１ａの吹き抜け空間８１ａ１に隣接して設けられている。上述したように、第１連通空間４としての吹き抜け部８１ａは、建物１の循環経路ＣＰの一部を構成している。そのため、第４個室９３は、循環経路ＣＰに隣接している。但し、第４個室９３は、循環経路ＣＰの一部としての第１連通空間４としての吹き抜け部８１ａと、区画壁５１により区画されている。
【００４５】
この区画壁５１には、部屋としての第４個室９３と第１連通空間４としての吹き抜け部８１ａとを連通する開口５１ａが設けられている。区画壁５１にこのような開口５１ａを設けることにより、建物１の空気の循環経路ＣＰの一部を構成する吹き抜け部８１ａの吹き抜け空間８１ａ１と、第４個室９３と、の間での空気の循環を促進できる。これにより、例えば、吹き抜け空間８１ａ１の暖気などを、第４個室９３内に取り込み易くなる。そのため、第４個室９３と、吹き抜け部８１ａを含むＬＤＫ８１と、をＬＤＫ８１に備え付けられたエアコン等の空調機６を用いて、一体で温調することが可能となる。
【００４６】
なお、図２に示すように、第３個室９２及び第４個室９３は、平面視で、吹き抜け空間８１ａ１を挟んで反対側には位置されている。また、図２に示すように、上述の区画壁５０及び区画壁５１は、平面視で、吹き抜け空間８１ａ１を挟んで対向して配置されている。
【００４７】
本実施形態において、第１連通空間４としての吹き抜け部８１ａは、上述した第３個室９２及び第４個室９３とは別の部屋としてのＬＤＫ８１に設けられている。つまり、本実施形態のＬＤＫ８１は、上述の第３個室９２及び第４個室９３に隣接する吹き抜け空間８１ａ１を含む部屋である。また、本実施形態のＬＤＫ８１は、建物１において床面積が最大の部屋である。更に、ＬＤＫ８１は、シンク等を含むキッチンセット１００を備える。第１連通空間４を、建物１において床面積が最大の部屋に設けることで、この部屋を、吹き抜け空間８１ａ１を有する開放感のある居間として利用することができる。
【００４８】
更に、本実施形態において、第１連通空間４とは別の第２連通空間５は、下階空間２としての１階空間の階層から上階空間３としての２階空間の階層までを繋ぐ階段１５を含む階段室９８により構成されている。
【００４９】
以上のように、本実施形態の建物１では、第１連通空間４が、ＬＤＫ８１の吹き抜け部８１ａにより構成されていると共に、第２連通空間５が、階段室９８により構成されているが、第１連通空間４及び第２連通空間５の配置は本実施形態の構成に限られない。
【００５０】
次に、区画壁５０の開口５０ａについての詳細について説明する。
【００５１】
図３は、区画壁５０を吹き抜け空間８１ａ１側から見た正面図である。図３に示すように、開口５０ａは、区画壁５０に形成されているスリット状の空隙である。より具体的に、開口５０ａは、鉛直方向に延在するスリット状の空隙である。本実施形態の区画壁５０には、このような開口５０ａとしてのスリット状の空隙が複数形成されている。開口５０ａをこのようなスリット状の空隙にすることで、第３個室９２（図２参照）にいる居住者が、開口５０ａを通じてＬＤＫ８１（図１参照）の吹き抜け部８１ａ（図１、図２参照）に転落することを防ぎつつ、吹き抜け部８１ａから第３個室９２内に空気を取り込むことができる。
【００５２】
本実施形態の開口５０ａは、鉛直方向に延在するスリット状の空隙であるが、図４に示すように、水平方向に延在するスリット状の空隙であってもよい。
【００５３】
なお、図３、図４に示すスリット状の空隙の幅Ｗは、特に限定されるものではないが、転落の安全上の観点から、年齢や体型によらず通り抜け不能な幅とすることが好ましい。具体的には、１５ｃｍ以下とすることが好ましく、１０ｃｍ以下とすることがより好ましい。
【００５４】
図５は、開口５０ａの別の変形例を示す図である。図５に示すように、開口５０ａは、区画壁５０に複数形成されている円形状の穿孔であってもよい。また、開口５０ａとしての穿孔の形状は、円形状に限られず、オーバル形状、多角形状等であってもよい。
【００５５】
開口５０ａは、天地高さＴの８０％以上の範囲に亘って設けられていることが好ましく、９０％以上の範囲に亘って設けられていることがより好ましい。「天地高さＴ」とは、床面から天井面までの高さを意味する。なお、図４及び図５に示すように、複数の開口５０ａが鉛直方向に間欠的に設けられている構成の場合は、鉛直方向の最も上側に位置する開口５０ａの上端と、鉛直方向の最も下側に位置する開口５０ａの下端と、の間の距離を、天地高さＴの８０％又は９０％と比較する長さとする。開口５０ａが設けられる範囲を上記範囲とすることで、第３個室９２（図２参照）の天地高さＴの中で、第１連通空間４としての吹き抜け部８１ａ（図１、図２参照）から第３個室９２内に取り込まれる空気の流路と、第３個室９２から第１連通空間４としての吹き抜け部８１ａに取り込まれる空気の流路と、を上下別々の位置に形成できる。このようにすることで、第３個室９２の空気の循環を促進できる。
【００５６】
図６を参照して、第３個室９２の空気の循環の一例を説明する。図６は、建物１のＬＤＫ８１と第３個室９２との間での空気の循環の概要を模式的に示す概要図である。図６では、一例として、ＬＤＫ８１に設けられた空調機６により、ＬＤＫ８１と第３個室９２とを一体で暖房する際の空気の循環の様子を示している。図６に示すように、冬期において、ＬＤＫ８１に設けられた空調機６により暖められた暖気は、吹き抜け部８１ａで上昇し、吹き抜け空間８１ａ１に到達する。この暖気は、第３個室９２の天井面に近い位置で、区画壁５０の開口５０ａを通じて、吹き抜け部８１ａから第３個室９２内に取り込まれる。第３個室９２内に取り込まれた暖気により、第３個室９２内の冷気は、第３個室９２の床面側に下降すると共に、第３個室９２の床面に近い位置で、区画壁５０の開口５０ａを通じて、第３個室９２から吹き抜け部８１ａに押し出される。また、第３個室９２内に取り込まれた暖気は、時間の経過と共に温度が下がり、第３個室９２内で降下すると共に、第３個室９２内に取り込まれる後続の暖気に押されることで、第３個室９２から吹き抜け部８１ａに排出される。このように、ＬＤＫ８１に設けられた空調機６により、第３個室９２内の空気を循環させることができる。なお、第３個室９２は、ＬＤＫ８１の吹き抜け部８１ａを含む循環経路ＣＰに隣接するため、ＬＤＫ８１と第３個室９２とを一体で冷房する際も、吹き抜け部８１ａとの間で空気の循環が促進され易く、ＬＤＫ８１と第３個室９２とを一体で効率的に冷房可能である。
【００５７】
また、図２、図３に示すように、本実施形態の区画壁５０には、開口５０ａを開閉可能な建具６０が設けられている。具体的に、本実施形態の開口５０ａは、上述したように、鉛直方向に延在するスリット状の空隙により構成されており、このようなスリット状の空隙が、所定ピッチで複数配置されている。そのため、本実施形態の建具６０は、区画壁５０の複数の開口５０ａと共に無双窓を構成する引き戸とすることが好ましい。このような建具６０としての引き戸は、区画壁５０の第３個室９２側に備え付けられる。このようにすれば、複数の開口５０ａの開閉のための建具６０の可動域を小さくすることができる。但し、建具６０は、開口５０ａを開閉可能な構成であれば上述の構成に限定されるものではない。したがって、片開き戸や引き違い戸などで建具６０を構成してもよい。
【００５８】
なお、ここでは区画壁５０の開口５０ａと、この開口５０ａを開閉可能な建具６０と、について説明したが、区画壁５１の開口５１ａと、この開口５１ａを開閉可能な建具６１と、についても、図３〜図５に示すような開口５０ａ及び建具６０と同様の構成にすることができる。また、区画壁５１に開口５１ａを設けることで、第４個室９３についても、図６に示す第３個室９２と同様の空気の循環を実現できる。なお、図６は、区画壁５１の開口５１ａを建具６１により閉じた場合の空気の循環を示している。但し、区画壁５０の開口５０ａ及び区画壁５１の開口５１ａの両方を開放したとしても、図７に矢印で示すような空気の循環が生成され、第１連通空間４、第３個室９２及び第４個室９３の空気の循環が可能である。
【００５９】
また、本実施形態の建物１では、第１連通空間４としての吹き抜け部８１ａと一体で温調される部屋が、第３個室９２及び第４個室９３の２つであるが、１つのみ又は３つ以上の部屋としてもよい。
【００６０】
本発明に係る建物は、上述した実施形態に記載する具体的な構成に限られるものではなく、特許請求の範囲を逸脱しない限り、種々の変形・変更が可能である。上述した実施形態では、上階空間３としての２階空間が、少なくとも２つの連通空間における一連通空間としての吹き抜け部８１ａに隣接して設けられていると共に、循環経路ＣＰと区画壁５０及び５１により区画され、開口５０ａ及び５１ａを通じて吹き抜け部８１ａと連通している部屋としての第３個室９２及び第４個室９３を備えるが、下階空間２としての１階空間に、同様の部屋があってもよい。つまり、上階空間３としての２階空間に加えて又は代えて、下階区間２としての１階空間が、少なくとも２つの連通空間における一連通空間に隣接して設けられていると共に、循環経路と区画壁により区画され、開口を通じて一連通空間と連通している部屋を備えてもよい。但し、図６、図７に示すように、空気の循環のし易さを考慮すると、少なくとも上階空間３が、上述の部屋を備えることが好ましい。
【産業上の利用可能性】
【００６１】
本発明は建物に関する。
【符号の説明】
【００６２】
１：建物
２：下階空間
３：上階空間
４：第１連通空間
５：第２連通空間
６：空調機
１１：床部
１５：階段
５０：区画壁
５０ａ：開口
５１：区画壁
５１ａ：開口
６０、６１：建具
８１：リビング・ダイニング・キッチン（ＬＤＫ）
８１ａ：吹き抜け部（連通空間）
８１ａ１：吹き抜け空間
８２：第１個室
８３：玄関
８４：トイレ
８５：第１廊下
８６：第２廊下
９１：第２個室
９２：第３個室（部屋）
９３：第４個室（部屋）
９４：トイレ
９５：洗面所
９６：浴室
９７：廊下
９８：階段室（連通空間）
９９：ベランダ
１００：キッチンセット
ＣＰ：空気の循環経路
ＣＰ１：第１循環経路
ＣＰ２：第２循環経路
Ｔ：天地高さ
Ｗ：開口としてのスリット状の空隙の幅
【図１】
2020063638.tif 000003
【図２】
2020063638.tif 000004
【図３】
2020063638.tif 000005
【図４】
2020063638.tif 000006
【図５】
2020063638.tif 000007
【図６】
2020063638.tif 000008
【図７】
2020063638.tif 000009